Podtech/llm-jp-corpus-v4-ja_patent huggingface dataset:
【誤訳訂正書】
【提出日】平成27年5月7日(2015.5.7)
【誤訳訂正１】
【訂正対象書類名】明細書
【訂正対象項目名】００６５
【訂正方法】変更
【訂正の内容】
【００６５】
最後に、それは、抗鬱作用を有し、ならびに／または鬱病、例えば、重症鬱病(deep depression)、抵抗性鬱病、精神病性鬱病、インターフェロン治療により誘発された鬱病、鬱状態、躁鬱症候群、季節性鬱状態、全体的健康と関連する鬱病発症および心的状態を変える物質(altering the mood)に起因する鬱病、双極性障害、統合失調症、不安障害全般、陰鬱状態および消耗症(morose and marasmus conditions)、ストレス関連障害、パニック発作、恐怖症、心的外傷後障害、社会恐怖症、強迫性障害、行動性障害、薬剤習慣性解毒、免疫系鬱病、疲労および関連疼痛症候群、慢性疲労症候群、自閉症、機能亢進注意障害、睡眠障害、月経前不快気分障害、心臓血管疾患、神経変性性疾患および不安症候群および関連する鬱病（アルツハイマー病、ハンチントン舞踏病、パーキンソン病）、尿失禁、摂食障害、神経性過食症、神経性食欲不振、肥満症、無関心、偏頭痛および／もしくは過敏腸症候群を治療することを意図した、ならびに／または線維筋痛症候群および／もしくは他の機能障害を治療することを意図した、ならびに／または、精神医学的障害(psychiatric disorder)、特に中枢神経系障害、より詳細には自殺傾向のリスクを軽減しながら障害を治療するための医薬品として使用するための、ミルナシプランを、特に（１Ｓ、２Ｒ）エナンチオマー形態で含浸した、本発明による固体形態にあるポリマー性薬学的担体に関する。
【誤訳訂正２】
【訂正対象書類名】特許請求の範囲
【訂正対象項目名】全文
【訂正方法】変更
【訂正の内容】
【特許請求の範囲】
【請求項１】
ポリマー性薬学的担体に活性物質を含浸するバッチ法であって、
以下の一連の工程：
ａ）活性物質と、非多孔性のポリマー性薬学的担体とを混合し、該ポリマー性薬学的担体は固体形態であり、超臨界ＣＯ２に不溶性であり、かつ非架橋ポリビニルピロリドンではなく、
ｂ）ａ）で得た混合物と超臨界ＣＯ２とを、８０〜１７０バールの間の圧力および３１〜９０℃の間の温度で１時間から６時間の間、攪拌せずに静的様式で接触させることにより、水の不在下で分子拡散を行い、
ｃ）ｂ）で得た活性物質を含浸したポリマー性薬学的担体を回収し、該含浸したポリマー性薬学的担体は非多孔性であり、固体形態であり、かつ該活性物質が非晶質形態にあること
を含んでなり、ここで、
上記方法は追加溶媒の不在下で行われ、かつ、
前記ポリマー性薬学的担体が、架橋ポリビニルピロリドン、カルボキシメチルセルロース、ヒドロキシプロピルメチルセルロース、メチルセロースおよびそれらの混合物からなる群から選択され、かつ、
前記活性物質が、ケトプロフェン、ビンフルニン、ミルナシプラン、フェノフィブラート、硫酸鉄一水和物および硫酸鉄七水和物からなる群から選択される、
方法。
【請求項２】
含浸されたポリマー性薬学的担体における前記活性物質とポリマー性薬学的担体との質量比が、１〜６０％である、請求項１に記載の方法。
【請求項３】
含浸されたポリマー性薬学的担体における前記活性物質とポリマー性薬学的担体との質量比が、１０〜３５％である、請求項２に記載の方法。
【請求項４】
工程ｂ）における温度が、４０〜８５℃である、請求項１〜３のいずれか一項に記載の方法。
【請求項５】
工程ｂ）における温度が、５０〜８０℃である、請求項４に記載の方法。
【請求項６】
工程ｂ）における圧力が１００〜１６０バールである、請求項１〜５のいずれか一項に記載の方法。
【請求項７】
工程ｂ）における圧力が１５０バールである、請求項６に記載の方法。
【請求項８】
工程ｂ）における接触時間が、１〜３時間である、請求項１〜７のいずれか一項に記載の方法。
【請求項９】
工程ｂ）における接触時間が、２時間である、請求項８に記載の方法。
【請求項１０】
工程ａ）中の活性物質が、粉末形態である、請求項１〜９のいずれか一項に記載の方法。
【請求項１１】
工程ａ）中の活性物質が、結晶形態である、請求項１０に記載の方法。
【請求項１２】
前記活性物質が非晶質形態でありかつミルナシプランであり、かつ、前記ポリマー性薬学的担体がメチルセロース、ヒドロキシプロピルメチルセルロースおよびそれらの混合物から選択される、請求項１〜１１のいずれか一項に記載の方法により得ることができる、非多孔性の、活性物質を含浸した固体形態のポリマー性薬学的担体。
【請求項１３】
ミルナシプランが塩酸塩形態である、請求項１２に記載のミルナシプランを含浸した固体形態のポリマー性薬学的担体。
【請求項１４】
ミルナシプランを含浸した、医薬品として使用するための、請求項１２または１３に記載の固体形態のポリマー性薬学的担体。
【請求項１５】
抗鬱作用を有する医薬品、および／または、鬱病、双極性障害、統合失調症、不安障害全般、陰鬱状態および消耗症、ストレス関連障害、パニック発作、恐怖症、心的外傷後障害、社会恐怖症、強迫性障害、行動性障害、薬剤習慣性解毒、免疫系鬱病、疲労および関連疼痛症候群、慢性疲労症候群、自閉症、機能亢進注意障害、睡眠障害、月経前不快気分障害、心臓血管疾患、神経変性性疾患および不安症候群および関連する鬱病、尿失禁、摂食障害、神経性過食症、神経性食欲不振、肥満症、無関心、偏頭痛および／または過敏腸症候群を治療することを意図した医薬品、および／または、線維筋痛症候群および／または他の機能障害を治療することを意図した医薬品、および／または、精神医学的障害を治療するための医薬品として使用するための、ミルナシプランで含浸した、請求項１２または１３に記載の固体形態のポリマー性薬学的担体。
【請求項１６】
ミルナシプランが（１Ｓ、２Ｒ）エナンチオマー形態である、請求項１５に記載の使用のための、請求項１２または１３に記載の、ミルナシプランで含浸した、固体形態のポリマー性薬学的担体。
【請求項１７】
鬱病が、重症鬱病、抵抗性鬱病、精神病性鬱病、インターフェロン治療により誘発された鬱病、鬱状態、躁鬱症候群、季節性鬱状態、全体的健康と関連する鬱病発症、および心的状態を変える物質に起因する鬱病から選択される、請求項１５または１６に記載の使用のための、請求項１２または１３に記載の、ミルナシプランで含浸した、固体形態のポリマー性薬学的担体。
【請求項１８】
前記神経変性性疾患がアルツハイマー病、ハンチントン舞踏病、パーキンソン病から選択される、請求項１５または１６に記載の使用のための、請求項１２または１３に記載の、ミルナシプランで含浸した、固体形態のポリマー性薬学的担体。
【請求項１９】
さらには自殺傾向のリスクを軽減する、請求項１５〜１８のいずれか一項に記載の使用のための、請求項１２または１３に記載の、ミルナシプランで含浸した、固体形態のポリマー性薬学的担体。
【手続補正書】
【提出日】平成27年2月10日(2015.2.10)
【手続補正１】
【補正対象書類名】特許請求の範囲
【補正対象項目名】全文
【補正方法】変更
【補正の内容】
【特許請求の範囲】
【請求項１】
対象の身体内で尿失禁を治療するためのシステムであって、
生地および前記生地に連結される遠位アンカーを含む外科用のインプラントと、
前記インプラントを移植するために動作可能な外科用のデバイスと、を備え、
前記デバイスは、
前記対象の身体内に挿入されるように適合される針と、前記針が延出している把持可能なハンドルと、
挿入中に前記生地を前記針に対して保持するとともに、前記生地を適所に固定する前記遠位アンカーと一緒に使用されるように、挿入後に前記針から除去されて前記生地を展開位置に展開することができる保持具と、を含む、システム。
【請求項２】
前記生地の遠位端を遠位に移動させて、前記生地を引っ張るように適合される生地引張アセンブリをさらに備える、請求項１に記載のシステム。
【請求項３】
前記生地引張アセンブリは、前記生地から遠位に延出し、前記遠位アンカーに摺動係合し、かつ前記ハンドルに向かって近位に延出する引張糸を含み、
前記引張糸を近位に引くことによって、前記生地が遠位に引かれて前記生地が引っ張られる、請求項２に記載のシステム。
【請求項４】
前記引張糸は、単一方向に前進する機械的止め具を含み、
前記遠位アンカーは、前記引張糸が延出するように前記引張糸を通す開口部を含み、
前記遠位アンカーの開口部および前記機械的止め具は、前記引張糸の単一方向の前進を提供して、前記引張糸を適所に選択的に係止するように構成される、請求項３に記載のシステム。
【請求項５】
前記生地引張アセンブリは、前記遠位アンカーに組み込まれ、かつ回転要素と、固定要素と、を含み、
前記回転要素は、前記針に装着されて前記針と共回転し、かつ前記生地に連結されるアンカー本体を含み、
前記固定要素は、前記対象の身体に係合し、かつ前記対象の身体内の適所に保持されるアンカー返しを含み、
第１の回転方向に前記針が回転すると、前記アンカー本体が前記針と共に回転し、前記アンカー返しによって、前記アンカー本体が遠位に前進させられて前記生地が引っ張られることはない、請求項２に記載のシステム。
【請求項６】
前記アンカー本体は、ねじ山を含み、
前記固定要素は、前記アンカー返しが延出しているカラーを含み、前記カラーは、前記アンカー本体のねじ山と螺合して前記アンカー本体を遠位に前進させるねじ山を有する、請求項５に記載のシステム。
【請求項７】
前記アンカー本体は、差し込み嵌合スロットを含み、
前記針は、前記差し込み嵌合スロットと協働し、かつ前記アンカー本体を前記第１の回転方向において前記針と共回転させるものの、反対の第２の回転方向においては共回転させないように適合される差し込み嵌合ピンを含み、
前記第２の回転方向に回転すると、前記針は、前記嵌合ピンが前記アンカー本体のスロットから近位に抜脱され得るように、前記アンカー本体から係脱する、請求項５に記載のシステム。
【請求項８】
前記生地は、弾性的に可撓性の材料で作製され、挿入のために前記保持具が適所にある状態で、格納位置に圧縮され、前記保持具が除去されると、弾性的に広がり、展開位置まで横方向に延在する、請求項１に記載のシステム。
【請求項９】
前記保持具は、前記生地が前記格納位置に圧縮された状態で、前記生地に嵌合し、かつ前記保持具が、前記生地および針に装着される閉鎖保持位置から、前記保持具を前記生地および針から除去することができる開放解放位置まで操作されることを可能にする減衰域を含む管によって提供される、請求項８に記載のシステム。
【請求項１０】
前記生地は、適所に固定するために増加した表面積を提供する横方向に延在可能な基部を含む、請求項１に記載のシステム。
【請求項１１】
前記生地の基部は、ドーム形状である、請求項１０に記載のシステム。
【請求項１２】
前記生地の基部は、周辺の自由縁を含み、前記自由縁から延出する複数の基部展開糸をさらに備え、
前記基部展開糸を近位に引くことによって、前記基部が前記針に対して圧縮される格納位置から、前記基部が前記ドーム形状を有する展開位置まで、前記基部が操作される、請求項１１に記載のシステム。
【請求項１３】
前記ドーム形状の基部が前記展開位置で適合する凸形状を有するディスクプレートを含む近位アンカーをさらに備える、請求項１１に記載のシステム。
【請求項１４】
前記対象の身体の外部に位置付け可能であり、かつ生体吸収性のコネクタによって前記生地の近位端に連結されるディスクプレートを含む近位アンカーをさらに備え、
前記対象の身体によって前記コネクタが吸収されると、前記ディスクプレートが前記対象の身体から解放される、請求項１に記載のシステム。
【請求項１５】
前記生地は、中実であるか、穿孔性であるか、または織物状である材料のシート、パネル、または帯状体である、請求項１に記載のシステム。
【手続補正書】
【提出日】平成27年2月5日(2015.2.5)
【手続補正１】
【補正対象書類名】特許請求の範囲
【補正対象項目名】全文
【補正方法】変更
【補正の内容】
【特許請求の範囲】
【請求項１】
少なくとも２つの乾燥電極を有する皮膚伝導性センサであって、
当該センサは、前記少なくとも２つの乾燥電極間のユーザの皮膚伝導度を検知するように適合され、
前記電極のうち少なくとも１つは、ユーザの皮膚に接触させるための乾燥皮膚伝導性電極であって、
当該乾燥皮膚伝導性電極は、水素、リチウム、ナトリウム、カリウム、ルビジウム、セシウム及びベリリウムからなるグループから選択される少なくとも１つのドーパントによってドーピングされた貴金属で作られた材料を有し、前記材料は、皮膚と接触するために前記電極の外面に配置される、皮膚伝導性センサ。
【請求項２】
前記貴金属は、金、パラジウム及びプラチナからなるグループから選択される少なくとも１つの要素である、請求項１に記載の皮膚伝導性センサ。
【請求項３】
前記ドーパントは、リチウム、ナトリウム又はカリウムである、請求項１に記載の皮膚伝導性センサ。
【請求項４】
前記貴金属は、金、パラジウム又はプラチナであり、前記ドーパントは、リチウムである、請求項１に記載の皮膚伝導性センサ。
【請求項５】
前記貴金属と前記ドーパントとの間のイオン化電位差は、前記貴金属が皮膚との電気化学反応に関与することを阻止するレベル以上である、請求項１に記載の皮膚伝導性センサ。
【請求項６】
前記ドーパントの濃度は、０．１と５％との間である、請求項１に記載の皮膚伝導性センサ。
【請求項７】
前記電極は、前記材料で形成される外層を有する、請求項１に記載の皮膚伝導性センサ。
【請求項８】
前記電極は、前記外層の下に少なくとも１つの内層を更に有する、請求項７に記載の皮膚伝導性センサ。
【請求項９】
前記少なくとも２つの電極間に電圧を印加するための電圧発生器と、
前記少なくとも２つの電極間の電流を測定するための測定ユニットと、
測定された電流に基づいて皮膚伝導度を計算するための計算ユニットとを更に有する、請求項１に記載の皮膚伝導性センサ。
【請求項１０】
請求項１に記載の皮膚伝導性センサを有する、リストバンド。
【請求項１１】
前記少なくとも２つの電極は、ユーザの手首の手掌側に接触するように設けられる、請求項１０に記載のリストバンド。
【請求項１２】
ユーザの感動的イベントを検出するための感動的イベント検出システムであって、
請求項１に記載の皮膚伝導性センサと、
検知された皮膚伝導度を示すデータを出力するための伝送リンクと、
出力されたデータを処理し、出力されたデータに基づいてユーザの感動的イベントを検出するように適合された処理ユニットとを有する、感動的イベント検出システム。
【請求項１３】
前記伝送リンクは、前記皮膚伝導性センサと前記処理ユニットとの間の無線リンクである、請求項１２に記載の感動的イベント検出システム。
【手続補正書】
【提出日】平成27年2月27日(2015.2.27)
【手続補正１】
【補正対象書類名】特許請求の範囲
【補正対象項目名】全文
【補正方法】変更
【補正の内容】
【特許請求の範囲】
【請求項１】
皮膚治療デバイスであって、
第１の歪んでいない構成と、第２の歪んだ構成とを有するように構成された弾性材料を有する手当て用品を含む第１の層であって、該第２の歪んだ構成において、該弾性材料は、所定の歪レベルまで事前に伸長されている、第１の層と、
該手当て用品に除去可能に連結された第２の層であって、対象の皮膚内の該弾性材料を通して生成されるべき皮膚損傷パターンに対応する所定のパターンを含む、第２の層と、
該第２の層を通す治療の間、該手当て用品を対象の皮膚部位に固定するように構成された固定要素と
を含む、皮膚治療デバイス。
【請求項２】
前記第２の層は、前記第２の歪んだ構成に前記弾性材料を解放可能に保持するように構成されたブレースを含む、請求項１に記載の皮膚治療デバイス。
【請求項３】
前記パターンは、前記弾性材料を通す開口部を形成するための複数の印を含む、請求項１に記載の皮膚治療デバイス。
【請求項４】
前記第２の層は、マスクを含み、前記所定のパターンは、複数の第２の層の開口部を含む、請求項１に記載の皮膚治療デバイス。
【請求項５】
前記弾性材料は、少なくとも１つの手当て用品の開口部をさらに含み、該少なくとも１つの手当て用品の開口部は、該弾性材料の中に形成され、前記第２の層の開口部のうちの少なくとも１つと並置するように構成される、請求項４に記載の皮膚治療デバイス。
【請求項６】
前記少なくとも１つの手当て用品の開口部は、複数のスリットを含む、請求項５に記載の皮膚治療デバイス。
【請求項７】
前記複数のスリットのうちの少なくとも１つのスリットは、前記第２の歪んだ構成において、前記手当て用品の中で、引張方向に対して横方向に配向される、請求項６に記載の皮膚治療デバイス。
【請求項８】
前記複数のスリットのうちの少なくとも１つのスリットは、前記手当て用品が前記第２の歪んだ構成にあるとき、二重テーパ状開口部を含む、請求項６に記載の皮膚治療デバイス。
【請求項９】
前記少なくとも１つの手当て用品の開口部は、長さと幅とを有し、該長さは該幅よりも大きい、請求項５に記載の皮膚治療デバイス。
【請求項１０】
少なくとも１つの手当て用品の開口部の周りに前記手当て用品の補強構造をさらに含む、請求項５に記載の皮膚治療デバイス。
【請求項１１】
少なくとも１つの手当て用品の開口部は、少なくとも１つの個別治療ゾーンに対応する、請求項５に記載の皮膚治療デバイス。
【請求項１２】
前記所定のパターンは、複数の繰り返しサブパターンを含む、請求項１に記載の皮膚治療デバイス。
【請求項１３】
前記第２の層は、治療的皮膚損傷を生成するように構成されたデバイスを含む、請求項１に記載の皮膚治療デバイス。
【請求項１４】
前記治療的皮膚損傷を生成するように構成されたデバイスは、該皮膚損傷を形成するためのレーザ、光学／光、化学エネルギー、超音波エネルギー、電極または機械的部材を含む、請求項１３に記載の皮膚治療デバイス。
【請求項１５】
少なくとも前記手当て用品の開口部の前記所定のパターンのサブパターンを通して延在して前記皮膚内に損傷を生成するように構成された、治療要素の配列をさらに含む、請求項１に記載の皮膚治療デバイス。
【請求項１６】
前記固定要素は、皮膚接着剤を含む、請求項１に記載の皮膚治療デバイス。
【請求項１７】
前記手当て用品の特性に対応する光学的に識別可能な性質を含む、請求項１に記載の皮膚治療デバイス。
【請求項１８】
前記皮膚治療デバイスをエネルギー放出皮膚治療要素に接続するように構成された接続要素をさらに含む、請求項１に記載の皮膚治療デバイス。
【請求項１９】
前記第２の層は、前記手当て用品に歪を印加するように構成される、請求項１に記載の皮膚治療デバイス。
【請求項２０】
皮膚治療デバイスであって、
第１の歪んでいない構成と、第２の歪んだ構成とを有するように構成された弾性材料を有する手当て用品を含む第１の層であって、該第２の歪んだ構成において、該弾性材料は、所定の歪レベルまで事前に伸長されている、第１の層と、
該手当て用品に連結された第２の層であって、該第２の歪んだ構成に該弾性材料を解放可能に保持するように構成されたブレースを含む、第２の層と、
該第２の層を通す治療の間、該手当て用品を対象の皮膚部位に固定するように構成された固定要素と
を含み、
該手当て用品は、複数の手当て用品の開口部を含み、該複数の手当て用品の開口部は複数のスリットを含み、該複数のスリットのうちの少なくとも１つのスリットは、該第２の歪んだ構成において、該手当て用品の中で、引張方向に対して横方向に配向される、皮膚治療デバイス。
【請求項２１】
少なくとも１つのスリットは、前記手当て用品が前記第２の歪んだ構成にあるとき、二重テーパ状開口部を含む、請求項２０に記載の皮膚治療デバイス。
【請求項２２】
少なくとも１つの手当て用品の開口部は、長さと幅とを有し、該長さは該幅よりも大きい、請求項２０に記載の皮膚治療デバイス。
【請求項２３】
少なくとも１つの手当て用品の開口部の周りに前記手当て用品の補強構造をさらに含む、請求項２０に記載の皮膚治療デバイス。
【手続補正書】
【提出日】平成27年4月8日(2015.4.8)
【手続補正１】
【補正対象書類名】特許請求の範囲
【補正対象項目名】全文
【補正方法】変更
【補正の内容】
【特許請求の範囲】
【請求項１】
薬物送達デバイス（７）に取付け可能な薬用モジュール（４；８０）であって：
ａ．内面、近位端及び遠位端を有する外部ハウジング（１０）、ここで、近位端は、第一の両頭針カニューレ（５）及び薬物送達デバイス（７）に取付けるように構成されたコネクタ（８）を保持する上部ハブ（５１）を有し；
ｂ．外面を有し、そして外部ハウジング（１０）の内面上の上部半径方向スタンドオフ（４０）と摺動可能に係合されるバイパスハウジング（５２）、ここで、係合時、バイパスハウジング（５２）は、近位方向に動くことを拘束され；
ｃ．薬剤の単回用量を含むバイパスハウジング（５２）内のリザーバ（２２）；
ｄ．内部近位面と内面上に駆動歯（１２）を有するニードルガード（４２；８３）、ここで、駆動歯はバイパスハウジング（５２）の外面上のトラック（１３）と摺動可能に係合し、ここで、ニードルガード（４２；８３）は、外部ハウジングに対して回転が制約されるが、外部ハウジング内で、形成された拘束物間で軸方向に動くことが自由であり；
ｅ．第二の両頭針カニューレ（３）Ｉを含有する下部ハブ（５３）、ここで、下部ハブ（５３）は、バイパスハウジング（５２）の外面と摺動可能に係合し、そしてガード（４２；８３）の内面と摺動可能に係合し；及び
ｆ．ニードルガード（４２；８３）を伸長位置へ付勢する、バイパスハウジング（５２；８２）とニードルガード（４２；８３）間に反発力を加えるように配置された付勢部材（４８；９０）、ここで付勢部材（４８；９０）は、ニードルガード（４２；８３）の近位内面と下部ハブ（５３）の遠位面の間に位置する；
を含んでなり、ここでニードルガード（４２；８３）の近位方向運動は、バイパスハウジング（５２）の回転を発生させる；
上記薬用モジュール。
【請求項２】
付勢部材（４８；９０）の第二の端部（９２）は、ガード（４２；８３）の中の穴（８８）を通して解放自在に伸長可能である、請求項１に記載の薬用モジュール（８０）。
【請求項３】
付勢部材（４８；９０）は、事前に応力をかけられ、
ｉ．トルク；
ｉｉ．軸方向の力；
ｉｉｉ．トルクと軸方向の力との組合せ；
の一つを提供するように構成された、請求項１又は２に記載の薬用モジュール（４；８０）
【請求項４】
付勢部材（４８；９０）が下部ハブ（５３）上に力を加えるように構成され、それによりバイパスハウジング（５２）を近位方向に移動させ、リザーバ（２２）を第一（５）及び第二（３）の両頭針カニューレとの流体係合に至らせる、請求項３に記載の薬用モジュール（４；８０）。
【請求項５】
付勢部材（４８；９０）がばねである、請求項３又は４に記載の薬用モジュール（４；８０）
【請求項６】
第一の位置において、圧縮ばね（４８；９０）の軸方向の弛緩を阻止するために、圧縮ばね（４８；９０）のねじり弛緩が阻止される、請求項５に記載の薬用モジュール。
【請求項７】
第一の位置において、ばね（４８；９０）の第一の端部は、バイパスハウジング（５２）内に保持され、そしてばね（４８；９０）の第二の端部（９２）は、穴（８８）を通して薬用モジュール（４；８０）から突出し、ここでばね（４８；９０）は、ねじり圧縮される、請求項５又は６に記載の薬用モジュール。
【請求項８】
第二の位置において、第二の端部（９２）は、第一の位置から解放され、第二の端部（９２）は、穴（８８）を通して、ニードルガード（４２；８３）内に脱出し、ここで、付勢部材（４８；９０）は、ねじり弛緩する、請求項７に記載の薬用モジュール（４；８０）。
【請求項９】
第二の端部（９２）が穴（８８）を通して脱出するとき、ねじり弛緩が許容されて、第二の位置に至り、ここで圧縮ばね（４８；９０）は部分的に軸方向に弛緩する、請求項８に記載の薬用モジュール（４；８０）。
【請求項１０】
薬剤は、ＧＬＰ−１、インスリン、及びインスリンとＧＬＰ−１のプレミックスの少なくとも一つを含む、請求項１〜９のいずれか１項に記載の薬用モジュール（４；８０）。
【請求項１１】
バイパスハウジング（５２）の外面は、下部ハブ（５３）上のレッグ（１７）と係合する下部スタンドオフポケット（６５）及び半径方向上部スタンドオフ（４０）と係合する上部スタンドオフポケット（６６）を含む、請求項１〜１０のいずれか１項に記載の薬用モジュール（４；８０）。
【請求項１２】
バイパスハウジング（５２）は、薬物送達デバイス（７）からの一次薬剤のプライミング用量が、リザーバ（２２）をバイパスすることを可能とするように、バイパスハウジング（５２）の内面上にバイパスチャンネル（４６）を有する、請求項１〜１１のいずれか１項に記載の薬用モジュール（４；８０）。
【請求項１３】
請求項１〜１２のいずれか１項記載の薬用モジュール（４；８０）；及び
モジュール（４；８０）を含み、少なくとも一つのブロッキング機能（９６；９７）を備える包装部材（９５）；
を含んでなるパッケージモジュールであって、
ここで包装部材（９５）の少なくとも一つのブロッキング機能（９６；９７）は、モジュール（４；８０）を軸方向ロック位置に保持する、上記パッケージモジュール。
【請求項１４】
包装部材（９５）からのモジュール（４；８０）の除去時、少なくともニードルガード（４２；８３）は、付勢部材（４８；９０）からの蓄積エネルギの元で回転し、それによりニードルガード（４２；８３）を軸方向のロック解除位置へ動かす、請求項１３に記載のパッケージモジュール。
【請求項１５】
薬用モジュール（４；８０）は、少なくとも一つのブロッキング機能を薬用モジュール（４；８０）との係合に持ち込むためにハウジング（１０）に対してガード（４２；８３）の若干のねじれを必要とするパッケージ（９５）内部に位置し、それにより、ねじれは付勢部材（４８；９０）を圧縮し、それにより薬用モジュール（４；８０）が第一のトリガロック位置にある、請求項１２又は１３に記載のパッケージモジュール（４；８０）。
【請求項１６】
第一の位置にある間に、薬用モジュールはパッケージ（９５）内へ挿入され、ここで、パッケージ（９５）は、圧縮ばね（４８；９０）の第二の端部（９２）を、薬用モジュール（４；８０）を第一の位置に保持する動きから有効にブロックするブロッキング面（９６）を含む、請求項１３に記載のパッケージモジュール（４；８０）。
【請求項１７】
薬用モジュール（４；８０）がパッケージ（９５）から取り出されると直ちに、第二の端部（９２）が第一の位置から解放される、請求項１６に記載のパッケージモジュール（４；８０）。
【手続補正書】
【提出日】平成27年4月14日(2015.4.14)
【手続補正１】
【補正対象書類名】明細書
【補正対象項目名】００８８
【補正方法】変更
【補正の内容】
【００８８】
図２６〜２８は、図２３〜２５の拘束体を有するモジュールの例示的代替実施態様を図示する。図２６はパッケージング１６５内の複数のモジュール１６０を図示する。モジュールはデバイス１６１及びニードルガード１６２を含む。パッケージング１６５は電源１６８、複数のポート１６６、及び複数の電線１６７を含む。薬用モジュール１６０はポート１６６の各々の内に挿入される。各電線１６７の第一の端部は電源１６８に取り付けられ、そして各電線１６７の第二の端部はポート１６６の一つの中に存在する薬用モジュールに取り付けられる。好ましくは、二つの電線１６７は各モジュールに取り付けられる。電線１６７の第二の端部の各々はニードルガード１６２の底面に取り付けられる。
【手続補正２】
【補正対象書類名】明細書
【補正対象項目名】００９０
【補正方法】変更
【補正の内容】
【００９０】
電源１６８においてパワーが生み出され、そしてそのパワーは電流送信器１６９を介してニードルガード１６２内のヒューズ線１６４に電線１６７を通して電流として伝えられる。ヒューズ線１６４は融解するのに十分な電流を受け取る。ヒューズ線１６４が融解するとき、それらはもはや圧縮ばね１６３を抑止しなくなり、そしてばね１６３は自由に緩和して薬用モジュール１６０内のハブのようなエレメントが動くことを可能にする。
【手続補正書】
【提出日】平成27年2月20日(2015.2.20)
【手続補正１】
【補正対象書類名】特許請求の範囲
【補正対象項目名】全文
【補正方法】変更
【補正の内容】
【特許請求の範囲】
【請求項１】
互いに隣接する棘突起に用いられる脊椎インプラント装置であって、前記棘突起は上棘突起及び下棘突起を含み、前記脊椎インプラント装置は、
第１上端及び第１下端を有する第１固定プレートであって、前記第１上端は第１ねじ孔を有し、前記第１固定プレートは、前記棘突起の間において前記棘突起に沿って延び、前記第１ねじ孔が前記上棘突起に隣接するように、寸法を定められかつ構成されている前記第１固定プレートと、
第２上端及び第２下端を有する第２固定プレートであって、前記第２下端は第４ねじ孔を有し、前記第２固定プレートが、前記棘突起の間において前記棘突起に沿って延び、前記第４ねじ孔が前記下棘突起に隣接するように、寸法を定められかつ構成されている前記第２固定プレートと、
前記第１上端および前記第１下端の間において前記第１固定プレートに連結されるとともに、前記第２上端と前記第２下端との間において前記第２固定プレートに連結されたコネクタと、
前記第１ねじ孔を通って前記第２固定プレートに向かって延び、前記上棘突起が前記第１上端および前記第２上端の間に配置されるように、寸法を定められかつ構成されている第１スクリュと、
前記第４ねじ孔を通って前記第１固定プレートに向かって延び、前記下棘突起が前記第１下端および前記第２下端の間に配置されるように、寸法を定められかつ構成されている第２スクリュとを備え、
前記第１スクリュ及び前記第２スクリュは、互いに角度をつけて配置される脊椎インプラント装置。
【請求項２】
前記第１固定プレートは、前記下棘突起に隣接する第２ねじ孔を有し、前記第２固定プレートは、前記上棘突起に隣接する第３ねじ孔を有し、
前記第３ねじ孔はねじ部を有し、前記第１スクリュは、前記第１ねじ孔を通って延び、かつ前記第３ねじ孔に螺合し、前記上棘突起が前記第１上端と前記第２上端との間に配置されるように、寸法を定められかつ構成されている請求項１に記載の脊椎インプラント装置。
【請求項３】
前記第１固定プレートは、前記下棘突起に隣接する第２ねじ孔を有し、前記第２固定プレートは、前記上棘突起に隣接する第３ねじ孔を有し、
前記第２ねじ孔はねじ部を有し、前記第２スクリュは、前記第４ねじ孔を通って延び、かつ前記第２ねじ孔に螺合し、前記下棘突起が前記第１下端と前記第２下端との間に配置されるように、寸法を定められかつ構成されている請求項２に記載の脊椎インプラント装置。
【請求項４】
前記第１固定プレートは平面であり、かつ表在面および深在面を画定しており、前記第１ねじ孔が、前記表在面および深在面に対して９０度未満の角度で前記第１固定プレートを通って延びている請求項１に記載の脊椎インプラント装置。
【請求項５】
前記第１固定プレートは平面であり、かつ表在面および深在面を画定しており、前記第１ねじ孔は、前記表在面および深在面に対して６０度から３０度の範囲の角度で前記第１固定プレートを通って延びている請求項１に記載の脊椎インプラント装置。
【請求項６】
前記第１固定プレート及び前記第２固定プレートの各々は平面であり、かつ表在面および深在面を画定し、前記第１固定プレート及び前記第２固定プレートは、前記表在面および深在面に対して直交する横軸に沿って互いに移動するように構成されている請求項１に記載の脊椎インプラント装置。
【請求項７】
前記第１固定プレート及び前記第２固定プレートは、互いに特定の角度で固定された関係を有する請求項１に記載の脊椎インプラント装置。
【請求項８】
前記コネクタはピンである請求項１に記載の脊椎インプラント装置。
【請求項９】
前記コネクタは、前記第２固定プレートに摺動可能に係合する請求項１に記載の脊椎インプラント装置。
【請求項１０】
前記コネクタは非円形断面形状を有する請求項１に記載の脊椎インプラント装置。
【請求項１１】
前記コネクタは、前記第１固定プレートと固定された関係を有する請求項１に記載の脊椎インプラント装置。
【請求項１２】
前記第１固定プレート及び前記第２固定プレートの各々は、前記棘突起にそれぞれ係合する歯を備える請求項１に記載の脊椎インプラント装置。
【請求項１３】
互いに隣接する棘突起の間に配置するように脊椎インプラント装置を移植する方法であって、前記棘突起は上棘突起及び下棘突起を含み、前記方法は、
第１固定プレート及び第２固定プレートを備える前記脊椎インプラント装置を設けるステップａであって、前記第１固定プレートが第１上端及び第１下端を有し、前記第１上端が第１ねじ孔を有し、前記第２固定プレートが第２上端及び第２下端を有し、前記第２下端が第４ねじ孔を有する前記ステップａと、
前記第１上端が前記上棘突起に隣接するとともに、前記第１下端が前記下棘突起に隣接するように、前記第１固定プレートを前記棘突起に沿って位置決めするステップｂと、
前記第２上端が前記上棘突起に隣接するとともに、前記第２下端が前記下棘突起に隣接するように、前記第２固定プレートを前記棘突起に沿って位置決めするステップｃと、
第１スクリュを前記第１ねじ孔に通して前記第２固定プレートに向けて挿入し、前記第１スクリュを前記上棘突起に挿入するステップｄと、
第２スクリュを前記第４ねじ孔に通して前記第１固定プレートに向けて挿入し、前記第１スクリュ及び前記第２スクリュが互いに角度をつけて配置されるように、前記第２スクリュを前記下棘突起に挿入するステップｅとを含む方法。
【請求項１４】
前記第１固定プレートは平面であり、かつ表在面および深在面を画定し、前記第１ねじ孔は、前記表在面および深在面に対して９０度未満の角度で前記第１固定プレートを通って延びる請求項１３に記載の方法。
【請求項１５】
前記第１固定プレートは平面であり、かつ表在面および深在面を画定し、前記第１ねじ孔は、前記表在面および深在面に対して６０度から３０度の範囲の角度で前記第１固定プレートを通って延びる請求項１３に記載の方法。
【請求項１６】
前記第１固定プレート及び前記第２固定プレートは歯を備え、前記ステップｂは、前記歯を前記棘突起に対してそれぞれ位置決めするステップを更に含む請求項１３に記載の方法。
【請求項１７】
前記ステップｄは、前記上棘突起を通して孔をドリル加工するステップを更に含む請求項１３に記載の方法。
【請求項１８】
前記ステップｄは、前記第１固定プレートに係合するドリルガイドを設けるステップと、
ドリルビットを、前記ドリルガイドを介して、前記第１固定プレートを通して、前記上棘突起内に挿入するステップとを更に含む請求項１７に記載の方法。
【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
（ａ）マスク本体であって、
（ｉ）剛性の第１熱可塑性材料を含む中央部分と、
（ｉｉ）順応性非エラストマーの第２熱可塑性材料を含む顔面接触部材と、を含み、前記中央部分と周辺部分との間に気密シールを生成するために、前記第１熱可塑性材料が前記第２熱可塑性材料に溶着された、マスク本体と、
（ｂ）前記剛性の中央部分に固定される少なくとも１つのフィルタカートリッジと、を含む、レスピレータ。
【請求項２】
前記第１及び第２熱可塑性材料が、超音波溶着、ホットプレート溶着、又は高周波溶着された、請求項１に記載のレスピレータ。
【請求項３】
前記周辺部分が、第１開口部と、前記第１開口部の周りに配設された熱可塑性外辺部とを含み、前記中央部分が、熱可塑性外辺部を更に含み、前記中央部分の前記熱可塑性外辺部が、前記周辺部分の前記熱可塑性外辺部に溶着された、請求項１に記載のレスピレータ。
【請求項４】
レスピレータを作製する方法であって、
（ａ）第１熱可塑性材料を含む剛性の中央部分を設ける工程と、
（ｂ）第２熱可塑性材料を含む順応性の周辺部分を設ける工程と、
（ｃ）前記剛性の中央部分と前記順応性の周辺部分との間に気密シールが生成されるように、前記剛性の中央部分を前記順応性の周辺部分に溶着する工程と、を含む、方法。
【請求項５】
前記第１及び第２熱可塑性材料が、共に超音波溶着され、前記剛性の中央部分が、前記中央部分の外辺部の周りに環状に延びる熱可塑性エネルギー・ディレクションを含む、請求項４に記載の方法。
【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
ガイダンスサポートのための画像処理装置であって、
処理ユニットと、
入力ユニットと、
出力ユニットとを有し、
前記入力ユニットは対象の関心領域の三次元データを提供し、前記関心領域の少なくとも一部の画像データを提供し、装置は少なくとも部分的に前記関心領域内に配置され、前記装置はステントであり、
前記処理ユニットは前記画像データから前記装置の三次元モデルを生成する生成ユニットを有し、前記ステントの形状仮定が、前記三次元モデルの生成を容易にするために提供され、
前記処理ユニットは前記三次元モデルを前記三次元データ内に埋め込む埋め込みユニットを有し、
前記出力ユニットは前記埋め込まれた三次元モデルを伴うモデル更新三次元画像を提供する、
画像処理装置。
【請求項２】
前記画像データが少なくとも一つの二次元画像を有し、前記生成ユニットが前記少なくとも一つの二次元画像から前記三次元モデルを生成し、
前記生成ユニットが前記三次元データから前記関心領域の三次元表現を生成し、
前記埋め込みユニットが前記三次元モデルを前記三次元表現内に埋め込む、
請求項１に記載の画像処理装置。
【請求項３】
ガイダンスサポートを提供するための医用イメージングシステムであって、
画像収集装置と、
請求項１又は２に記載の画像処理装置と、
表示ユニットとを有し、
前記画像収集装置が前記画像データを収集し、当該データを前記処理ユニットへ提供し、
前記出力ユニットが前記モデル更新三次元画像を前記表示ユニットへ提供し、
前記表示ユニットが前記モデル更新三次元画像を表示する、
医用イメージングシステム。
【請求項４】
前記画像収集装置がＸ線源とＸ線検出器を持つＸ線イメージング装置であり、
前記Ｘ線イメージング装置が二次元Ｘ線画像を画像データとして提供する、
請求項３に記載の医用イメージングシステム。
【請求項５】
ガイダンスサポートのための方法であって、
ａ）対象の関心領域の三次元データを提供するステップと、
ｂ）前記関心領域の少なくとも一部の画像データを提供するステップであって、装置は少なくとも部分的に前記関心領域内に位置し、前記装置がステントである、ステップと、
ｃ）前記画像データから前記装置の三次元モデルを生成するステップであって、前記ステントの形状仮定が前記三次元モデルの生成を容易にするために提供される、ステップと、
ｄ）前記三次元モデルを前記三次元データ内に埋め込むことによってモデル更新三次元画像のためのデータを提供するステップと
を有する方法。
【請求項６】
ステップａ）における前記三次元データが第１の基準座標系を有し、ステップｂ）における前記画像データが第２の基準座標系を有し、
ステップｄ）における埋め込みのために、前記第１の基準座標系と前記第２の基準座標系の間の変換が決定され、
前記変換が前記三次元モデルへ適用される、
請求項５に記載の方法。
【請求項７】
前記画像データが少なくとも一つの二次元画像を有する、請求項５又は６に記載の方法。
【請求項８】
前記関心領域の三次元表現が前記三次元データから生成され、ステップｄ）において、前記三次元モデルが前記三次元表現内に埋め込まれる、請求項５乃至７のいずれか一項に記載の方法。
【請求項９】
ステップｄ）のために、前記三次元モデルと前記三次元データの間の予測される空間関係が予め決定され、埋め込みのために、前記三次元モデルがそれに従って調節される、請求項５乃至８のいずれか一項に記載の方法。
【請求項１０】
ステップｄ）に続いて、前記関心領域の前記三次元表現内で前記モデル更新三次元画像がユーザへ表示されるステップｅ）が提供される、請求項８又は９に記載の方法。
【請求項１１】
前記装置及び／又は対象の所定の特徴が前記モデル更新三次元画像において検出され、前記所定の特徴が前記モデル更新三次元画像において強調される、請求項５乃至１０のいずれか一項に記載の方法。
【請求項１２】
前記装置及び／又は対象の所定の特徴が前記モデル更新三次元画像において検出され、
前記対象に関連する前記特徴の測定データが決定され、
インターベンションの操作若しくはガイドの方策を定義する及び／又は適応させるために前記測定データが提供される、
請求項５乃至１１のいずれか一項に記載の方法。
【請求項１３】
ガイダンスサポートのための画像処理装置を操作するための方法であって、
入力ユニットから処理ユニットへ対象の関心領域の三次元データを提供するステップと、
前記入力ユニットから前記処理ユニットへ前記関心領域の少なくとも一部の画像データを提供するステップであって、装置は少なくとも部分的に前記関心領域内に配置され、前記装置がステントである、ステップと、
前記処理ユニットによって前記画像データから前記装置の三次元モデルを生成するステップであって、前記ステントの形状仮定が前記三次元モデルの生成を容易にするために提供される、ステップと、
出力ユニットを介してモデル更新三次元画像を提供するために前記処理ユニットによって前記三次元データ内に前記三次元モデルを埋め込むステップと
を有する方法。
【請求項１４】
処理ユニットによって実行されるときに、請求項５乃至１３のいずれか一項に記載の方法ステップを実行するように構成される、請求項１乃至４のいずれか一項に記載の装置を制御するためのコンピュータプログラム要素。
【請求項１５】
請求項１４に記載のプログラム要素を記憶したコンピュータ可読媒体。
【手続補正書】
【提出日】平成27年3月13日(2015.3.13)
【手続補正１】
【補正対象書類名】特許請求の範囲
【補正対象項目名】全文
【補正方法】変更
【補正の内容】
【特許請求の範囲】
【請求項１】
空気供給管であって、
加圧空気を供給するよう構成されたチューブ状部材を形成するテキスタイルであって、経糸および緯糸を含んでいるテキスタイルを備え、
前記経糸および前記緯糸の特性は、長手方向軸線に沿った増大した伸縮性および前記長手方向軸線を中心とする捻じれに対する増大した抵抗力を、前記チューブ状部材に付与するよう選択されていることを特徴とする空気供給管。
【請求項２】
前記チューブ状部材は抵抗を低減するために容易に変形することを特徴とする請求項１に記載の空気供給管。
【請求項３】
前記緯糸は前記経糸よりも高い弾力性を有することを特徴とする請求項１に記載の空気供給管。
【請求項４】
第１のラミネートをさらに備えることを特徴とする請求項１ないし請求項３のいずれか１項に記載の空気供給管。
【請求項５】
前記第１のラミネートは前記テキスタイルの内面に形成されることを特徴とする請求項４に記載の空気供給管。
【請求項６】
第２のラミネートをさらに備えることを特徴とする請求項４または請求項５に記載の空気供給管。
【請求項７】
前記第２のラミネートは前記テキスタイルの外面に形成されることを特徴とする請求項６に記載の空気供給管。
【請求項８】
前記テキスタイルに形状を付与するためのサポート構造体をさらに備えることを特徴とする請求項１ないし請求項７のいずれか１項に記載の空気供給管。
【請求項９】
前記サポート構造体は、前記テキスタイルの外面に対して取り付けられることを特徴とする請求項８に記載の空気供給管。
【請求項１０】
前記サポート構造体は、前記第２のラミネート（設けられる場合）と前記テキスタイルとの間に配置されることを特徴とする請求項９に記載の空気供給管。
【請求項１１】
前記サポート構造体は、前記第２のラミネート（設けられる場合）の外面に対して取り付けられることを特徴とする請求項８に記載の空気供給管。
【請求項１２】
前記サポート構造体は螺旋を形成することを特徴とする請求項８ないし請求項１１のいずれか１項に記載の空気供給管。
【請求項１３】
前記テキスタイルは、織布、編布および三次元印刷布の少なくとも一つであることを特徴とする請求項１ないし請求項１２のいずれか１項に記載の空気供給管。
【請求項１４】
前記サポート構造体は前記テキスタイルの前記外面に対して積層されることを特徴とする請求項８または請求項９に記載の空気供給管。
【請求項１５】
前記テキスタイルは、実質的に、空気流に対する不透過性を有することを特徴とする請求項１ないし請求項３のいずれか１項に記載の空気供給管。
【請求項１６】
前記第１のラミネートおよび前記第２のラミネートの少なくとも一つは前記テキスタイルの一部として具現化され、かつ、シーリング層を形成するために熱に対して反応することを特徴とする請求項４ないし請求項１５のいずれか１項に記載の空気供給管。
【請求項１７】
前記第１のラミネートおよび前記第２のラミネートの少なくとも一つは、接着剤を用いて、前記テキスタイルに対して取り付けられることを特徴とする請求項４ないし請求項１５のいずれか１項に記載の空気供給管。
【請求項１８】
前記テキスタイルは、長手方向継ぎ目を形成するために前記テキスタイルの対向する端部を融着することによってチューブ形状をなしていることを特徴とする請求項１ないし請求項１７のいずれか１項に記載の空気供給管。
【請求項１９】
睡眠障害呼吸を治療するためのマスクアセンブリであって、
請求項１ないし請求項１８のいずれか１項に記載の空気供給管と、
前記管と連通状態とされた患者インターフェースと、を備えることを特徴とするマスクアセンブリ。
【請求項２０】
患者に対して前記患者インターフェースを支持するためのヘッドギアをさらに具備することを特徴とする請求項１９に記載のマスクアセンブリ。
【手続補正書】
【提出日】平成27年3月6日(2015.3.6)
【手続補正１】
【補正対象書類名】特許請求の範囲
【補正対象項目名】全文
【補正方法】変更
【補正の内容】
【特許請求の範囲】
【請求項１】
患者の１つまたは複数の心腔の表面における双極子密度ｄ（ｙ）と距離測定値のデータベースを作成する装置において、
１つまたは複数のカテーテルに設置された複数電極と、
音波を発生するように構築、構成されたトランスデューサと、
音波の反射を受けるように構築、構成されたセンサと、
を含むことを特徴とする装置。
【請求項２】
請求項１に記載の装置において、
前記トランスデューサがセンサを含むことを特徴とする装置。
【請求項３】
請求項１に記載の装置において、
前記装置がリアルタイム画像を生成するように構築、構成されることを特徴とする装置。
【請求項４】
請求項１に記載の装置において、
前記装置が連続画像を生成するように構築、構成されることを特徴とする装置。
【請求項５】
請求項１に記載の装置において、
前記装置が前記患者の組織の画像を生成するように構築、構成されることを特徴とする装置。
【請求項６】
請求項５に記載の装置において、
前記画像が１つまたは複数の心腔の画像を含むことを特徴とする装置。
【請求項７】
請求項５に記載の装置において、
前記画像が前記複数電極のうちの少なくとも１つの画像を含むことを特徴とする装置。
【請求項８】
請求項１に記載の装置において、
前記装置が前記患者の組織の運動情報を提供するように構築、構成されることを特徴とする装置。
【請求項９】
請求項１に記載の装置において、
前記装置が、前記患者の組織の厚さ情報を提供するように構築、構成されることを特徴とする装置。
【請求項１０】
請求項１に記載の装置において、
前記装置が距離測定データを生成し、
前記距離測定データが、前記複数電極のうちの少なくとも１つと心腔壁の間の距離を含むことを特徴とする装置。
【請求項１１】
請求項１に記載の装置において、
前記装置が、組織運動情報と細胞電気信号の両方を解析することによって、組織診断情報を提供するように構築、構成されることを特徴とする装置。
【請求項１２】
請求項１１に記載の装置において、
前記装置が心臓アブレーション処置中に前記組織診断情報を提供するように構築、構成されることを特徴とする装置。
【請求項１３】
請求項１に記載の装置において、
前記装置が、電位図波形で心組織の位置を提供するように構築、構成されることを特徴とする装置。
【請求項１４】
請求項１に記載の装置において、
前記装置がさらにデリバリシースを備えることを特徴とする装置。
【請求項１５】
請求項１に記載の装置において、
前記センサまたは前記トランスデューサのうちの少なくとも一方が１つの構成要素を含むことを特徴とする装置。
【請求項１６】
請求項１に記載の装置において、
前記センサまたは前記トランスデューサのうちの少なくとも一方が、構成要素のアレイを含むことを特徴とする装置。
【請求項１７】
請求項１６に記載の装置において、
前記アレイが超音波結晶のアレイを含むことを特徴とする装置。
【請求項１８】
請求項１に記載の装置において、
前記装置が多アームアセンブリを備え、前記センサまたは前記トランスデューサのうちの少なくとも一方が前記多アームアセンブリに取り付けられることを特徴とする装置。
【請求項１９】
請求項１８に記載の装置において、
前記複数電極のうちの第一の電極が前記多アームアセンブリに取り付けられることを特徴とする装置。
【請求項２０】
請求項１に記載の装置において、
前記トランスデューサが超音波トランスデューサを含むことを特徴とする装置。
【請求項２１】
請求項１に記載の装置において、
前記トランスデューサが３ＭＨｚから１８ＭＨｚの間の周波数で信号を生成することを特徴とする装置。
【請求項２２】
請求項１に記載の装置において、
前記センサが超音波センサを含むことを特徴とする装置。
【請求項２３】
請求項１に記載の装置において、
前記センサが複数のセンサを含むことを特徴とする装置。
【請求項２４】
請求項１に記載の装置において、
前記複数電極からのマッピング情報を受け取るように構築、構成された第一の受信機であって、前記マッピング情報が、前記複数電極が前記１つまたは複数の心腔内に留置された時に受け取られるような第一の受信機と、
双極子密度ｄ（ｙ）の三次元データベースを生成するように構成、配置された双極子密度モジュールと、
をさらに備え、
前記双極子密度モジュールが心腔壁への個々の投影三角形についての双極子密度を測定し、位置ｙにおける各投影三角形について、ω（ｘ，ｙ）に前記双極子密度ｄ（ｙ）を乗じたものが地点ｘにおける電位Ｖ（ｘ）となり、
ただし、ω（ｘ，ｙ）は前記投影三角形の立体角であり、
ａ）ｘは１つまたは複数の心腔内の一連の位置を表し、
ｂ）Ｖ（ｘ）は点ｘにおける測定電位であり、前記測定電位が前記複数電極によって記録される
ことを特徴とする装置。
【請求項２５】
請求項１に記載の装置において、
前記双極子密度が少なくとも１０００個の投影三角形について測定されることを特徴とする装置。
【請求項２６】
請求項１に記載の装置において、
前記双極子密度モジュールが、対応する時間間隔の双極子密度ｄ（ｙ）のマップを作成することを特徴とする装置。
【請求項２７】
請求項１に記載の装置において、
前記双極子密度モジュールが、一連の心拍から、各々の対応する心拍の興奮順序のカスケードを表す合成マップを生成することを特徴とする装置。
【請求項２８】
請求項１に記載の装置において、
測定電位Ｖ（ｘ）の補間によって領域数が増やされることを特徴とする装置。
【請求項２９】
請求項１に記載の装置において、
１つまたは複数の皮膚電極からマッピング情報を受け取るように構成された第三の受信機をさらに備えることを特徴とする装置。
【請求項３０】
請求項２９に記載の装置において、
前記双極子密度モジュールが、前記マッピング情報を使用することを特徴とする装置。